(57)【要約】【課題】本発明はジャンプ傘に関し、スプリングの附勢力を利用して自動的に開傘を行うジャンプ傘に関し、例えば傘の骨材が折損したり、もしくは、各骨材を枢着しているヒンジ部品が壊れた時の修繕時に、作業の能率化と、安全化とをはかるものである。【解決手段】ジャンプ傘の下ロクロ７が、スプリング９の下方部を収容可能な略筒状の上方本体部７Ａと、下端９ｂが当接する円盤状の底板部１１を有して上方本体部に固定手段１２を介して着脱可能に取付けられる下部部材７Ｂと、により構成される。【選択図】図１
2011092557.tif 000002
【特許請求の範囲】
【請求項１】
中棒と、前記中棒の先端に取付けた上ロクロに一端が枢着されて開閉される複数本の親骨と、前記中棒に摺動自在に外嵌される中ロクロに一端が枢着されて他端が前記親骨の略中間部に枢着された複数本の受骨と、前記中ロクロに対向して前記中棒に摺動自在に把手部側に設けた下ロクロに一端が枢着されて他端が前記受骨に連結された複数本の引線と、前記中ロクロと前記下ロクロとの間に介在したスプリングと、把手部近くにて前記下ロクロに係脱可能であって前記移動を規制するはじきを設けたロック機構部と、を備え、該スプリングの附勢力により前記中ロクロと前記下ロクロとを石突き側に移動させて開傘させるジャンプ傘において、
前記下ロクロが、前記スプリングの下端部を収容可能な略筒状の上方本体部と、前記スプリングの下端が当接する底板部を有して前記上方本体部に固定手段を介して着脱可能に取付けられる下部部材と、により構成されている、
ことを特徴とするジャンプ傘。
【請求項２】
前記固定手段が、前記底板部の外周に設けられた雄ねじと、前記雄ねじが螺合可能に前記上方本体部の他端内周に設けられた雌ねじとにより構成される螺合手段であることを特徴とする請求項１に記載のジャンプ傘。
【請求項３】
前記中棒の先端部側には、略筒状をなすストッパ材が上ロクロと前記中ロクロとの間にスプリング材を介して着脱可能に外挿されていることを特徴とする請求項１または２に記載のジャンプ傘。
【請求項４】
前記受骨が、開傘時又は閉傘時の通常時には、一端を前記親骨に枢着されるとともに他端が前記受骨に枢着された短寸のリンク状をなすヒンジ部品を介して前記親骨に連結され、必要時には、前記ストッパ材を前記中棒から脱挿させて前記ヒンジ部品を前記受骨が回動する延長方向に回転して伸長することにより前記親骨を開傘時の状態から反転させることを特徴とする請求項３に記載のジャンプ傘。
【請求項５】
中棒の先端に設ける石突きが貫通可能になる挿通孔を中央に有する傘布を陣笠と前記上ロクロとの間に介在し、前記陣笠が前記傘布を介して前記上ロクロに着脱自在に取付けられることを特徴とする請求項１−４の何れか１項に記載のジャンプ傘。
【請求項６】
中棒の先端に設ける上ロクロと、該上ロクロの上端の基端部に着脱自在に取付けられる石突きと、該石突きの下端に固定された陣笠と、前記上ロクロの前記基端部が貫通可能になる挿通孔を中央に有するとともに、前記上ロクロと前記陣笠との間に挟持される傘布と、が設けられていることを特徴とする請求項１−４の何れか１項に記載のジャンプ傘。
【発明の詳細な説明】
【技術分野】
【０００１】
本発明はスプリングの附勢力を利用して自動的に開傘を行うジャンプ傘に関し、例えば傘の骨材が折損したり、もしくは、各骨材を枢着しているヒンジ部品が壊れた時の修繕時の容易さ、及びリサイクル時の分別作業の容易さと能率化と安全性をはかるものである。
【背景技術】
【０００２】
従来、ジャンプ傘として、例えば中棒と、前記中棒に摺動可能に外嵌される環状の中ロクロおよびスライダとしての略筒状の下ロクロと、前記中ロクロと前記下ロクロとに、その上端および下端が当接されて前記中ロクロおよび前記下ロクロ間に介在されることにより、常時前記中棒の先端に設ける石突き方向へ前記中ロクロおよび前記下ロクロをばね附勢するスプリングと、前記スプリングの附勢力による前記下ロクロおよび前記中ロクロの石突き方向への移動を規制し把手部近くにて前記下ロクロに係脱可能であって前記移動を規制するはじきを設けたロック機構部と、を備え、開傘時においては、前記スプリングの伸長によるばね附勢力により前記中ロクロが前記下ロクロを随伴しながら前記石突き方向の開傘の位置へ摺動されることにより、中棒の先端に設けられた上ロクロに一端が枢着されている親骨を、中ロクロに一端が枢着されて他端が前記親骨の中間部に枢着されている受骨と、一端が前記下ロクロに枢着されて他端が前記受骨の略中間に枢着された支骨と、のリンク動作により拡開し、傘布を拡げて開傘を行うものが知られている。また、閉傘時においては、前記中ロクロおよび前記下ロクロが、前記スプリングのばね附勢力に抗して把手部方向へと、閉傘位置に摺動されることにより、受骨と、支骨とを介して親骨を窄め、閉傘が行われるものがあった（例えば、特許文献１参照）。
【先行技術文献】
【特許文献】
【０００３】
【特許文献１】特開２００６−１４７５８号公報
【発明の概要】
【発明が解決しようとする課題】
【０００４】
ところで、上記特許文献１に記載の従来のジャンプ傘では、スプリングの附勢力を利用して傘を自動的に開傘するために、スプリングが、その上端および下端を前記中ロクロおよび前記下ロクロに当接させる格好で前記中ロクロおよび前記下ロクロ間に介装されることにより中棒に摺動可能に外挿されているので、例えば親骨、受骨、支骨のような傘の骨材が折損したり、もしくは、各骨材を枢着しているヒンジ部品が壊れた時の修繕時に開傘させて修繕作業を行おうとすると、スプリングの附勢力により中ロクロおよび下ロクロが中棒に対して石突き側に摺動されて完全に開傘されてしまうようになり、そのために親骨はもとより、受骨、支骨には、スプリングの附勢力による、開傘時の力が作用することにより強い張力が加わるようになり、折損している骨材の接合端相互を繋ぎ合わせたり、壊れたヒンジ部品の交換作業を行うのに、修繕作業がし難く、作業には多くの時間および手間がかかり、非能率的であった。そのために、従来、ジャンプ傘の修繕を行うのには、スプリングの附勢力により中ロクロおよび下ロクロが石付き側へ摺動されて完全に開傘されてしまうのを阻止するために、例えばクリップのような治具を中棒に取り付けて、石突き側へ移動しようとする中ロクロがクリップに突き当たってその移動が阻止されるようにし、傘を半開きにした状態でスプリングの附勢力による開傘時の力が親骨等に作用しない状態で修繕を行う必要があり、修繕時の作業性が非常に悪かった。
【０００５】
しかも、特許文献１に記載された従来のジャンプ傘では、修繕作業中に中棒に取り付けられたクリップが外れてスプリングの附勢力によって急に開傘する場合があり、折損した骨材が不自然な格好で飛び出す場合があり、作業者が不用意な怪我をするおそれがあった。
【０００６】
そこで、本発明は上記従来の問題点を解決し、中ロクロと下ロクロとの間に介在するスプリングの親骨、受骨等の傘骨に作用する開傘時における附勢力を解くことにより、ジャンプ傘の修繕作業の能率化と、安全化とをはかることができるジャンプ傘を提供することを目的とする。
【課題を解決するための手段】
【０００７】
本発明の請求項１に記載の発明は、
中棒と、前記中棒の先端に取付けた上ロクロに一端が枢着されて開閉される複数本の親骨と、前記中棒に摺動自在に外嵌される中ロクロに一端が枢着されて他端が前記親骨の略中間部に枢着された複数本の受骨と、前記中ロクロに対向して前記中棒に摺動自在に把手部側に設けた下ロクロに一端が枢着されて他端が前記受骨に連結された複数本の引線と、前記中ロクロと前記下ロクロとの間に介在したスプリングと、把手部近くにて前記下ロクロに係脱可能であって前記移動を規制するはじきを設けたロック機構部と、を備え、該スプリングの附勢力により前記中ロクロと前記下ロクロとを石突き側に移動させて開傘させるジャンプ傘において、
前記下ロクロが、前記スプリングの下端部を収容可能な略筒状の上方本体部と、前記スプリングの下端が当接する底板部を有して前記上方本体部に固定手段を介して着脱可能に取付けられる下部部材と、により構成されている、
ことを特徴とする。
【０００８】
また、本発明の請求項２に記載の発明は、請求項１において、前記固定手段が、前記底板部の外周に設けられた雄ねじと、前記雄ねじが螺合可能に前記上方本体部の他端内周に設けられた雌ねじとにより構成される螺合手段であることを特徴とする。
【０００９】
また、本発明の請求項３記載の発明は、請求項１または２において、前記中棒の先端部側には、略筒状をなすストッパ材が上ロクロと前記中ロクロとの間にスプリング材を介して着脱可能に外挿されていることを特徴とする。
【００１０】
また、本発明の請求項４記載の発明は、請求項３において、前記受骨が、開傘時又は閉傘時の通常時には、一端を前記親骨に枢着されるとともに他端が前記受骨に枢着された短寸のリンク状をなすヒンジ部品を介して前記親骨に連結され、必要時には、前記ストッパ材を前記中棒から脱挿させて前記ヒンジ部品を前記受骨が回動する延長方向に回転して伸長することにより前記親骨を開傘時の状態から反転させることを特徴とする。
【００１１】
また、本発明の請求項５記載の発明は、請求項１−４の何れか１項において、中棒の先端に設ける石突きが貫通可能になる挿通孔を中央に有する傘布を陣笠と前記上ロクロとの間に介在し、前記陣笠が前記傘布を介して前記上ロクロに着脱自在に取付けられることを特徴とする。
【００１２】
さらに、本発明の請求項６の記載の発明は、請求項１−４の何れか１項において、中棒の先端に設ける上ロクロと、該上ロクロの上端の基端部に着脱自在に取付けられる石突きと、該石突きの下端に固定された陣笠と、前記上ロクロの前記基端部が貫通可能になる挿通孔を中央に有するとともに、前記上ロクロと前記陣笠との間に挟持される傘布と、が設けられていることを特徴とする。
【発明の効果】
【００１３】
本発明の請求項１に記載の発明によれば、中棒と、前記中棒の先端に取付けた上ロクロに一端が枢着されて開閉される複数本の親骨と、前記中棒に摺動自在に外嵌される中ロクロに一端が枢着されて他端が前記親骨の略中間部に枢着された複数本の受骨と、前記中ロクロに対向して前記中棒に摺動自在に把手部側に設けた下ロクロに一端が枢着されて他端が前記受骨に連結された複数本の引線と、前記中ロクロと前記下ロクロとの間に介在したスプリングと、把手部近くにて前記下ロクロに係脱可能であって前記移動を規制するはじきを設けたロック機構部と、を備え、該スプリングの附勢力により前記中ロクロと前記下ロクロとを石突き側に移動させて開傘させるジャンプ傘において、前記下ロクロが、前記スプリングの下端部を収容可能な略筒状の上方本体部と、前記スプリングの下端が当接する底板部を有して前記上方本体部に固定手段を介して着脱可能に取付けられる下部部材と、により構成されているので、例えば親骨、受骨、引線のような傘の骨材が折損したり、もしくは、各骨材を枢着しているヒンジ部品が壊れた時の修繕時には、下ロクロの上方本体部から下部部材を固定手段を介して分解することにより中ロクロと下ロクロとの間に介在したスプリングの附勢を解放する。
【００１４】
そして、上記のように下ロクロの上方本体部から下部部材を固定手段を介して分解することにより中ロクロと下ロクロとの間に介在したスプリングの附勢を解放し、親骨、受骨、引線のような傘の骨材にスプリングによる附勢力が働らかない状態を確保すると、傘骨を容易に半開きに維持することができ、骨材の折損を繋ぎ合わせたり、もしくは、各骨材を枢着するヒンジ部品の壊れた個所を交換する場合に傘布の先端に設けられたつゆ先から親骨の先端を脱嵌させて傘布を親骨から取外すことにより、傘の修繕が容易かつ確実に行える。従って、中ロクロと下ロクロとを常時ばね附勢するスプリングの上端および下端が前記中ロクロおよび前記下ロクロに当接される格好で前記中ロクロおよび前記下ロクロ間に介装されることにより中棒に摺動可能に外挿されている例えば特許文献１に記載の従来のジャンプ傘のように、開傘と同時にスプリングの附勢力により勢い良く折損した骨材が不自然な格好で飛び出すという不用意な怪我を防げ、安全にかつ能率的に修繕作業を行うことができる。
【００１５】
また、本発明の請求項２に記載の発明によれば、請求項１において、前記固定手段が、前記底板部の外周に設けられた雄ねじと、前記雄ねじが螺合可能に前記上方本体部の他端内周に設けられた雌ねじとにより構成される螺合手段であるので、下ロクロの上方本体部から固定手段を介して下部部材を分解することにより、下ロクロと中ロクロとを常時ばね附勢しているスプリングのばね附勢力を完全に解放できるため、中ロクロにはスプリングの附勢力は働かなくなり、親骨、受骨、引線のような傘の骨材にスプリングによる附勢力が働らかない状態を確保すると、傘骨を半開きに維持することができ、骨材の折損を繋ぎ合わせたり、もしくは、各骨材を枢着するヒンジ部品の壊れた個所を交換することができ、傘の修繕が容易かつ確実に行える。従って、中ロクロと下ロクロとを常時ばね附勢するスプリングの上端および下端が前記中ロクロおよび前記下ロクロに当接される格好で前記中ロクロおよび前記下ロクロ間に介装されることにより中棒に摺動可能に外挿されている例えば特許文献１に記載の従来のジャンプ傘のように、開傘と同時にスプリングの附勢力により勢い良く折損した骨材が不自然な格好で飛び出すことによる不用意な怪我を防げ、安全にかつ能率的に修繕作業を行うことができる。
【００１６】
また、本発明の請求項３記載の発明によれば、請求項１または２において、前記中棒の先端部側には、略筒状をなすストッパ材が上ロクロと前記中ロクロとの間にスプリング材を介して着脱可能に外挿されているので、開傘時には、スプリング材のばね附勢力により前記中ロクロと前記下ロクロとを中棒に外挿した状態で石突き側に移動され、中ロクロがストッパ材に当接されて移動が規制され、開傘が行われる。この際、上ロクロと中ロクロとの間にはスプリング材が介装されているため、開傘時にスプリングの附勢力により石突き側に移動される中ロクロがストッパ材に衝突されると、スプリング材により衝撃が緩衝され、中ロクロの急激な移動をストッパ材により確実に停止することができる。そして、例えばストッパ材の外周の軸長方向には例えば縦割溝が設けられているので、中棒に対するストッパ材の取付けまたは取外しが容易かつ確実に行える。
【００１７】
そして、ストッパ材を中棒から取外せば、スプリングがその分、伸長され、その附勢力が中ロクロを介して親骨、受骨、引線のような傘の骨材に及ぶのを緩和されるので、陣笠を中棒の基端部から取外すことにより上ロクロ、および中ロクロを中棒から抜出さなくても、前述のように、下ロクロの上方本体部から固定手段を介して下部部材を分解して中ロクロと下ロクロとの間に介在したスプリングの附勢を解放するのが、一層容易になる。このため、親骨、受骨、引線のような傘の骨材にスプリングによる附勢力を働らかないようにした状態で傘骨を開くことにより、骨材の折損を繋ぎ合わせたり、もしくは、各骨材を枢着するヒンジ部品の壊れた個所を交換することができ、傘の修繕が一層容易かつ確実に行える。
【００１８】
また、本発明の請求項４記載の発明によれば、請求項３において、前記受骨が、開傘時又は閉傘時の通常時には、一端を前記親骨に枢着されるとともに他端が前記受骨に枢着された短寸のリンク状をなすヒンジ部品を介して前記親骨に連結され、必要時には、前記ストッパ材を前記中棒から脱挿させて前記ヒンジ部品を前記受骨が回動する延長方向に回転して伸長することにより前記親骨を開傘時の状態から反転させるので、傘を開傘時の状態から反転（いわゆるお猪口）状態にするのに、親骨と受骨とを連結している短寸のリンク状をなすヒンジ部品が受骨の延長方向に転回して伸び、親骨の反転を促すため、親骨の反転（いわゆる、お猪口）により、傘布を親骨から簡単に取外すことができる。このため、親骨、受骨、引線のような傘の骨材が折損したり、もしくは、各骨材を枢着しているヒンジ部品が壊れた時の修繕を容易かつ確実に行える。
【００１９】
また、本発明の請求項５記載の発明によれば、請求項１−４の何れか１項において、中棒の先端に設ける石突きが貫通可能になる挿通孔を中央に有する傘布を陣笠と前記上ロクロとの間に介在し、前記陣笠が前記傘布を介して前記上ロクロに着脱自在に取付けられるので、上ロクロから陣笠を取外せば、下ロクロの上方本体部から固定手段を介して下部部材を分解して中ロクロと下ロクロとの間に介在したスプリングの附勢を解放することにより、親骨を開傘時とは反転（いわゆるお猪口）状態にすることができ、傘布を親骨から取り外すのが容易になり、親骨、受骨、引線のような傘の骨材にスプリングによる附勢力を働らかないようにした状態で傘骨を開くと、骨材の折損を繋ぎ合わせたり、もしくは、各骨材を枢着するヒンジ部品の壊れた個所を交換することができ、傘の修繕が一層容易かつ確実に行える。
【００２０】
さらに、本発明の請求項６の記載の発明によれば、請求項１−４の何れか１項において、中棒の先端に設ける上ロクロと、該上ロクロの上端の基端部に着脱自在に取付けられる石突きと、該石突きの下端に固定された陣笠と、前記上ロクロの前記基端部が貫通可能になる挿通孔を中央に有するとともに、前記上ロクロと前記陣笠との間に挟持される傘布と、が設けられているので、上ロクロから石突きを取外せば、下ロクロの上方本体部から固定手段を介して下部部材を分解して中ロクロと下ロクロとの間に介在したスプリングの附勢を解放することにより、親骨を開傘時とは反転（いわゆるお猪口）状態にすることができ、傘布を親骨から取り外すのが容易になり、親骨、受骨、引線のような傘の骨材にスプリングによる附勢力を働らかないようにした状態で傘骨を開くと、骨材の折損を繋ぎ合わせたり、もしくは、各骨材を枢着するヒンジ部品の壊れた個所を交換することができ、傘の修繕が一層容易かつ確実に行える。
【図面の簡単な説明】
【００２１】
【図１】図１は本発明のジャンプ傘の実施形態１を示す断面図である。
【図２】図２は同じくストッパ材を回転した状態の断面図である。
【図３】図３は同じく本実施形態１を構成する陣笠を中棒の先端から取外して中ロクロおよび下ロクロを先端側に移動した状態の断面図である。
【図４】図４は同じく下ロクロの上方本体部と下部部材とを分解し、スプリングのばね附勢力を解放した状態の断面図である。
【図５】図５は同じく本実施形態１を構成する親骨を反転させた状態を示す断面図である。
【図６】図６は同じく本実施形態１を構成する中ロクロおよび下ロクロと、中ロクロと下ロクロとを、それらの間に介在したスプリングによりばね附勢している状態を示す拡大断面図である。
【図７】図７は同じく下ロクロを分解し、中ロクロと下ロクロとの間に介在したスプリングのばね附勢を解放した状態を示す拡大断面図である。
【図８】図８は本実施形態１を構成するヒンジ部品が、親骨と受骨とに連結されている状態を示す拡大斜視図である。
【図９】図９は本発明のジャンプ傘の実施形態２を示す拡大断面図である。
【図１０】図１０は同じく本実施形態２において、石突きを陣笠と一緒に中棒の先端から取り外して親骨を反転させた状態を示す断面図である。
【発明を実施するための形態】
【００２２】
以下、図面に従って本発明を実施するための最良の形態ににつき、詳細に説明する。
【００２３】
＜実施形態１＞
本実施形態１は、中棒１と、前記中棒１の先端に取付けた上ロクロ２に一端が枢着されて開閉される複数本の親骨３と、前記中棒１に摺動自在に外嵌される中ロクロ４に一端が枢着されて他端が前記親骨３の略中間部に枢着された複数本の受骨５と、前記中ロクロ４に対向して前記中棒１に摺動自在に把手部６側に設けた下ロクロ７に一端が枢着されて他端が前記受骨５に連結された複数本の引線８と、前記中ロクロ４と前記下ロクロ７との間に介在したスプリング９と、把手部６近くにて前記下ロクロ７に係脱可能であって前記移動を規制するはじき１４Ｂを設けたロック機構部１４と、を備え、該スプリング９の附勢力により前記中ロクロ４と前記下ロクロ７とを石突き１０側に移動させて開傘させるジャンプ傘における点は、例えば特許文献１に記載されたジャンプ傘と同様の構成である。
【００２４】
しかしながら、本実施形態１では、前記下ロクロ７が、前記スプリング９の下端部を収容可能な略筒状の上方本体部７Ａと、前記スプリング９の下端９ｂが当接する底板部１１を有して前記上方本体部７Ａに固定手段１２を介して着脱可能に取付けられる下部部材７Ｂと、により構成されていることを特徴とする。
【００２５】
前記中棒１は、例えば金属パイプにより形成される。また、前記中ロクロ４は例えば合成樹脂や金属により平面視環状に形成される。また、前記下ロクロ７は、例えば金属または合成樹脂により形成される。また、前記石突き１０は金属または合成樹脂により形成される。１０ａは陣笠であり、この陣笠１０ａは中棒１の先端に設ける石突き１０が貫通されるように外形が略円錐台形をなし、内周には前記上ロクロ２の上面に突出する円筒状の上方の基端部２Ａの外周に設けた雄ねじ部Ｎ１に螺合されて着脱可能となる雌ねじ部Ｎ２を有する。そして、前記把手部６は、例えば合成樹脂、木材により形成されるほか、石膏により芯材部を形成するとともに、その芯材部の表面を合成樹脂ビニール、人造皮革により覆うことにより形成される。また、前記上ロクロ２は例えば金属または合成樹脂により形成される。
【００２６】
図６，および図７に示すように、前記上方本体部７Ａが、前記スプリング９の外周径φ１より大径の内周径φ２を有する大径筒部に形成され、前記下部部材７Ｂは、前記中棒１が摺動可能になる小径筒部に形成されるとともに、前記小径筒部の一端外周には前記大径筒部に前記固定手段１２を介して取付けられて前記スプリング９の下端９ｂが密接する前記底板部１１が設けられて前記小径筒部の他端外周には外鍔部１３が設けられている。そして、前記上方本体部７Ａの長さＬ１と、前記下部部材７Ｂの長さＬ２とは自由に設定され、その増減変更は自由に行える。
【００２７】
前記固定手段１２が、本実施形態１では図６，および図７に示すように、前記底板部１１の外周に設けられた雄ねじ１１ａと、前記雄ねじ１１ａが螺合可能に前記上方本体部７Ａの他端内周に設けられた雌ねじ１１ｂとにより構成される螺合手段であるが、この固定手段１２は代表的例示であり、下ロクロ７の上方本体部７Ａに下方部材７Ｂを着脱自在に取付けるための固定手段１２としては、上記螺合手段に限ることなく、図には示さないが、例えば突部と、前記突部が係脱可能になる凹部とよりなる係合手段により構成されるか、もしくは、前記底板部１１の外周に設けられた係合突部と、前記係合突部が係脱可能に前記上方本体部７Ａの他端内周に設けられた係合凹部とにより構成されるバイヨネット手段により構成されるか、または、前記上方本体部７Ａおよび前記下部部材７Ｂが合成樹脂により形成されている場合には、合成樹脂の弾性的な塑性変形を利用して前記突部と前記凹部とを嵌着する嵌合手段により構成されるものであってもよい。
【００２８】
１４は前記下ロクロ７を閉傘位置に係止して移動を規制したり、または規制を解除して開傘を行うためのロック機構部であり、このロック機構部１４は、公知のものと同様に、操作ボタン１４Ａを前記中棒１に内装された図示しないばね材の附勢力に抗して押圧したり、または押圧を解放することにより中棒１に対しはじき１４Ｂが出没自在になり、前記はじき１４Ｂが下ロクロ７の前記下部部材７Ｂに設けられた係合孔１５に係脱可能になる。
【００２９】
１６は略筒状をなすストッパ材であり、このストッパ材１６は例えば図２に示すように、外周の軸長方向に縦割溝１６ａを有し、前記中棒１の先端部側、すなわち前記上ロクロ２と前記中ロクロ４との間にスプリング材Ｓを介して着脱可能に外嵌されるが、ストッパ材１６の外周に軸長方向１６ａに縦割溝１６ａを設けたのは、ストッパ材１６を中棒１に外嵌するための代表的例示であり、ストッパ材１６を中棒１に着脱するためには図示するものに限らず、図には示さないが、例えば蝶着部を有する開閉可能な２つ割構造のものでもよい。そして、このストッパ材１６は、開傘時にスプリング９のばね附勢力による中ロクロ４の移動を確実に停止するためのものである。
【００３０】
前記親骨３は上ロクロ２の下方外周の支持部２ａに、一端が枢着されて開閉可能に設けられる。１７は図８に示すように一端を開傘時又は閉傘時の通常時には、前記親骨３に枢着するとともに他端を受骨５に枢着された短寸のリンク状をなすヒンジ部品であり、このヒンジ部品１７を介して前記受骨５が前記親骨３に連結されている。そして、必要時には、石突き１０を中棒１から取外さないでも、前記ストッパ材１６を前記中棒１から脱挿させて前記ヒンジ部品１７を前記受骨５が回動する延長方向に回転して伸長することにより前記親骨３を開傘時の状態から反転させることができる。また、前記親骨３、および前記受骨５は、金属または合成樹脂により形成される。
【００３１】
１８は傘布であり、この傘布１８は、例えば雨傘としては合成繊維布、合成樹脂ビニールシートにより形成され、また、傘布１８は日傘としては例えば合成繊維布、木綿もしくは、麻よりなる天然繊維布が用いられる。そして、傘布１８は、中棒１の先端に設ける石突き１０が貫通可能になる挿通孔１８ａを中央に有し、陣笠１０ａと前記上ロクロ２との間に介在されて挟持され、そして、その外周に設けられた複数個のつゆ先１９が前記親骨３の先端に嵌脱可能に嵌入されるほか、数箇所で親骨３に縫着されることにより、親骨３に取付けられる。
【００３２】
本実施形態１のジャンプ傘は以上の構成からなり、開傘して使用する場合には、ロック機構部１４の操作ボタン１４Ａを中棒１内に内装した図示しないばね材の附勢力に抗して押圧すると、はじき１４Ｂが中棒１に対し没し、下ロクロ７の下部部材７Ｂに設けられた係合孔１５から前記はじき１４Ｂが脱係すると、スプリング９の伸長によるばね附勢力により、前記下ロクロ７は引線８を介して前記中ロクロ４に随伴しながら前記石突き５の方向へ摺動されるので、中棒１の先端に設けられた上ロクロ２に一端が枢着されている親骨３が、中ロクロ４に一端が枢着されて他端が前記親骨３の中間部に枢着されている受骨５と、一端が前記下ロクロ７に枢着されて他端が前記受骨５の略中間に枢着された引線８とのリンク動作による押し上げを受けて拡開し、親骨３が傘布１８を拡げて開傘が行われる。
【００３３】
そして、ストッパ材１６が上ロクロ２と中ロクロ４との間の中棒１の先端部側にスプリング材Ｓを介して着脱可能に外嵌されているので、開傘時にスプリング９のばね附勢力による中ロクロ４の移動をストッパ材１６により停止し、スプリング材Ｓにより緩衝することができる。また、ストッパ材１６の外周の軸長方向には例えば縦割溝１６ａが設けられているので、ストッパ材１６と中棒１との間のアロウワンスの確保が容易になり、中棒１に対するストッパ材１６の取付けまたは取外しが容易かつ確実に行える。
【００３４】
また、閉傘時においては、前記中ロクロ４および前記下ロクロ７が、前記スプリング９をばね附勢力に抗して縮小させて把手部６の方向へと、摺動されることにより、受骨５と、引線８とを介して親骨３を窄め、ロック機構部１４のはじき１４Ｂが下ロクロ７に設けられた係合孔１５内に係合され、閉傘が行われる点は特許文献１に記載の従来のジャンプ傘と同様である。
【００３５】
しかしながら、本実施形態１では、下ロクロ７が、前記スプリング９の下方部を収容可能な略筒状の上方本体部７Ａと、前記スプリング９の下端９ｂが当接する底板部１１を有して前記上方本体部７Ａに固定手段１２を介して着脱可能に取付けられる下部部材７Ｂと、により構成されているので、例えば親骨３、受骨５、引線８のような傘の骨材が折損したり、もしくは、各骨材を枢着しているヒンジ部品が壊れた時に修繕を行うのには、下ロクロ７の上方本体部７Ａから下部部材７Ｂを固定手段１２を介して分解することにより、下ロクロ７と中ロクロ４とを常時ばね附勢しているスプリング９のばね附勢力を解放できるので、中ロクロ４にはスプリング９の附勢力が働かない状態にし、親骨３にはスプリング９による附勢力が伝わらないようにする。
【００３６】
この際、前記上方本体部７Ａがスプリング９の外周径φ１より大径の内周径φ２を有する大径筒部に形成され、スプリング９の下端９ｂが安定に密接される底板部１１を一端に有する下部部材７Ｂは、前記固定手段１２として、本実施形態１においては図示のように前記底板部１１の外周に設けられた雄ねじ１１ａと、前記雄ねじ１１ａが螺合可能に前記上方本体部７Ａの他端内周に設けられた雌ねじ１１ｂとにより構成される螺合手段を介して前記上方本体部７Ａの下方部に取付けられているので、上方本体部７Ａもしくは下部部材７Ｂの何れか一方を回動するか、または双方を相反する方向に回動することにより、雌ねじ１１ｂから雄ねじ１１ａを螺退させて、上方本体部７Ａから下部部材７Ｂを迅速に分解して取り外すことができるが、これは代表的例示であり、下ロクロ７の上方本体部７Ａに下方部材７Ｂを着脱自在に取付けるための固定手段１２としては、上記螺合手段に限ることなく、図には示さないが例えば突部と、前記突部が係脱可能になる凹部とよりなる係合手段により構成されるか、もしくは、前記底板部１１の外周に設けられた係合突部と、前記係合突部が係脱可能に前記上方本体部７Ａの他端内周に設けられた係合凹部とにより構成されるバイヨネット手段により構成されるか、または、前記上方本体部７Ａおよび前記下部部材７Ｂが合成樹脂により形成されている場合には、合成樹脂の弾性的な塑性変形を利用して前記突部と前記凹部とを嵌着する嵌合手段により構成されるものであってもよい。
【００３７】
このようにして、スプリング９の外周径φ１より大径の内周径φ２を有する大径筒部よりなる上方本体部７Ａから、スプリング９の下端９ｂが密接している下部部材７Ｂの底板部１１の組付けが解かれて下部部材７Ｂは取外されるので、スプリング９を上方本体部７Ａから容易に抜き出すことができ、組付時において中ロクロ４と下ロクロ７との間に介在されて中ロクロ４に上端９ａが当接するとともに、下ロクロ７に下端９ｂが当接しているスプリング９のばね附勢を容易かつ確実に解くことができる。また、前記小径筒部の他端外周には外鍔部１３が設けられているので、下ロクロ７の小径筒部よりなる下部部材７Ｂは、中棒１に対して下ロクロ７が摺動動作される場合に、ガタツキを生ずることなく、迅速かつ確実に案内移動することができる。しかも、上方本体部７Ａと、下部部材７Ｂとよりなる下ロクロ７の製作、加工、また、組付け、分解が容易に行え、生産効率は高くなる。また、下部部材７には、底板部１１が設けられて前記小径筒部の他端外周には外鍔部１３が設けられているので、閉傘時に、下ロクロ７を中棒１に沿って案内移動し、ロック機構部１４のはじき１４Ｂが下ロクロ７の下部部材７Ｂに設けられた係合孔１５に係合されて移動を規制するのに、はじき１４Ｂが衝突する下部部材７Ｂの下端の摩耗を防止し、構造堅牢になる。
【００３８】
そして、開傘時において親骨３、受骨５、引線８にスプリング９による強い附勢力と、傘布１８が拡張されることによる反力が働いて傘骨が固定される状態が、下ロクロ７の上方本体部７Ａから下部部材７Ｂを固定手段１２を介して分解することにより、解放され、傘が半開き状態にされ、傘の骨材相互が作業の邪魔になることなく、広い作業スペースが確保されるから、傘の骨材の折損を繋ぎ合わせたり、もしくは、各骨材を枢着するヒンジ部品の壊れた個所を迅速かつ確実に交換することができる。
【００３９】
従って、中ロクロ４と下ロクロ７とを常時ばね附勢するスプリング９は、その上端９ａおよび下端９ｂが前記中ロクロ４および前記下ロクロ７に当接される格好で前記中ロクロ４および前記下ロクロ７間に介装されるばね附勢力が解放されるので、特許文献１に記載の従来のジャンプ傘のように、折損した骨材がスプリングの附勢力により不自然な格好で勢い良く飛び出すという不慮な怪我を防ぐことができ、安全にかつ能率的に修繕作業を行うことができる。
【００４０】
このようにして、例えば親骨３、受骨５、引線８のような傘の骨材が折損したり、もしくは、各骨材を枢着しているヒンジ部品が壊れた時の修繕が済んだ後に組付けを行うのには、分解されていた下ロクロ７の上方本体部７Ａと下部部材７Ｂとを固定手段１２を介して固定することにより、スプリング９のばね附勢力を下ロクロ７と中ロクロ４とに常時働かせ、組付けを完了し、ジャンプ傘として再使用するようにすることができる。
【００４１】
また、本実施形態１によれば、前記中棒１の先端部側には、略筒状をなし、外周の軸長方向には例えば縦割溝１６ａを有するストッパ材１６が上ロクロ２と前記中ロクロ４との間にスプリング材Ｓを介して着脱可能に外嵌されているので、開傘時には、スプリング９のばね附勢力により前記中ロクロ４と前記下ロクロ７とを中棒１に外挿した状態で石突き１０側に移動され、中ロクロ４がストッパ材１６に当接されて移動が規制され、開傘が行われるが、この際、上ロクロ２と中ロクロ４との間にはスプリング材Ｓが介装されているため、開傘時にスプリング９の附勢力により石突き１０側に移動される中ロクロ４がストッパ材１６に衝突され、移動が停止され、スプリング材Ｓのばね附勢力により緩衝される。そして、ストッパ材１６は、例えば外周の軸長方向には縦割溝１６ａを設けているので、中棒１に対してストッパ材１６を取付けたり、または取外しが容易かつ確実になる。
【００４２】
そして、ストッパ材１６を中棒１から取外せば、スプリング９がストッパ材１６を中棒１から取除いた長さ分だけ伸長するので、スプリング９の附勢力が中ロクロ４を介して親骨３、受骨５、引線８のような傘の骨材に及ぶのを緩和することができる。このため、陣笠１０ａを上ロクロ２の上方の基端部２Ａから取外すとともに、上ロクロ２、および中ロクロ４を中棒１から抜出すことによって親骨３、受骨５、引線８の移動を拘束する部品を除去しなくても、前述のように、下ロクロ７の上方本体部７Ａから固定手段１２を介して下部部材７Ｂを分解して中ロクロ４と下ロクロ７との間に介在したスプリング９による下ロクロ７の上方本体部７Ａから下部部材７Ｂを固定手段１２を介して分解し、解放するのが、一層容易になり、親骨３、受骨５、引線８のような傘の骨材にスプリング９による附勢力を働らかないようにできる。従って、傘骨を開いて骨材の折損を繋ぎ合わせたり、もしくは、各骨材を枢着するヒンジ部品の壊れた個所を交換することができ、さらには、傘布１８が破れている場合に、傘布１８の先端に設けられたつゆ先１９から親骨３の先端を脱嵌させて傘布１８を親骨３から取外すことにより傘布１８の補修を行える等、傘の修繕が一層容易かつ確実に行える。
【００４３】
さらに、本実施形態１では、図４、図５、図８に示すように、前記受骨５が、開傘時又は閉傘時の通常時には、一端を前記親骨３に枢着されるとともに他端が前記受骨５に枢着された短寸のリンク状をなすヒンジ部品１７を介して前記親骨３に連結されているので、必要時には、前記ストッパ材１６を前記中棒１から脱挿させ、下ロクロ７の上方本体部７Ａから固定手段１２を介して下部部材７Ｂを分解して中ロクロ４と下ロクロ７との間に介在したスプリング９の附勢を解放させることにより、前記ヒンジ部品１７を前記受骨５が回動する延長方向に回転して伸長することにより前記親骨３を開傘時の状態から容易に反転（いわゆるお猪口）状態にできる。そして、中棒１の先端に設ける石突き１０が貫通される挿通孔１８ａを中央に有する傘布１８を陣笠１０ａと前記上ロクロ２との間に介在し、前記陣笠１０ａが前記傘布１８を介して前記上ロクロ２に着脱自在に取付けられているので、上ロクロ２から陣笠１０ａを、固定手段としての雌ねじ部Ｎ２から雄ねじ部Ｎ１を螺退させることにより取外せば、前述のように、親骨３の反転（いわゆる、お猪口）により、傘布１８を親骨３から簡単に取外すことができる。このため、開傘時において親骨３、受骨５、引線８にスプリング９による強い附勢力と、傘布１８が拡張されることによる反力が働らくのが解放された状態で傘骨が拡開されるため、骨材の折損を繋ぎ合わせたり、もしくは、骨材が折損されている場合に新たな骨材と交換したり、もしくは、各骨材を枢着するヒンジ部品の壊れた個所を補修したり、また、破れた傘布１８の補修、交換も容易に行える等、傘の全面的な修繕が一層容易かつ効率的に行える。
【００４４】
＜実施形態２＞
また、図９、および図１０に示すものは本発明のジャンプ傘の実施形態２を示す。
【００４５】
この実施形態２では、中棒１の先端に設ける上ロクロ２と、該上ロクロ２の上端の基端部２Ａの外周に設けられた固定手段としての雄ねじ部Ｎ１と、前記雄ねじ部Ｎ１に螺合されて着脱可能に取付けられる雌ねじ部Ｎ２を有する石突き１０と、該石突き１０の下端に固定された陣笠１０ａと、前記上ロクロ２の前記雄ねじ部Ｎ１が貫通可能になる挿通孔１８ａを中央に有するとともに、前記上ロクロ２と前記陣笠１０ａとの間に挟持される傘布１８と、が設けられている。また、石突き１０の下端に固定される陣笠１０ａの固定手段は、陣笠１０ａの上面に突設する環状突起１０ｂを石突き１０の下端に設けた環状の係合孔１０ｃ内に嵌入しても良いし、石突き１０と陣笠１０ａとを接着剤を用いて接着したり、超音波溶着したり、高周波溶着したり、加熱溶着することにより固定する構成であるほかは、前記実施形態１と同様の構成である。
【００４６】
そして、本実施形態２では、上ロクロ２の上端の基端部２Ａの外周に設けられた固定手段としての雄ねじ部Ｎ１に対して雌ねじ部Ｎ２を螺退させて石突き１０と一緒に上ロクロ２の基端部２Ａから石突き１０を陣笠１０ａ毎取外せば、下ロクロ７の上方本体部７Ａから固定手段１２を介して下部部材７Ｂを分解して中ロクロ４と下ロクロ７との間に介在したスプリング９の附勢を解放することにより、親骨３を開傘時とは反転（いわゆるお猪口）状態にすることができ、傘布１８を親骨３から取り外すのが容易になり、親骨３、受骨５、引線８のような傘の骨材にスプリング９による附勢力を働らかないようにした状態で傘骨を開くと、骨材の折損を繋ぎ合わせたり、もしくは、各骨材を枢着するヒンジ部品の壊れた個所を交換することができ、傘の修繕が容易かつ確実に行えるようにしたものである。なお、本実施形態２では、石突き１０の下端に固定手段としての環状突起１０ｂと環状の係合孔１０Ｃとを介して石突き１０および陣笠１０ａを一体化する構成として、上ロクロ２の基端部２Ａに対して一体に着脱自在に取付けているが、図には示さないが、石突き１０と陣笠１０ａとは一体に形成されてもよい。
【００４７】
また、下ロクロ７の上方本体部７Ａから固定手段１２を介して下部部材７Ｂを分解することにより、下ロクロ７と中ロクロ４とを常時ばね附勢しているスプリング９のばね附勢力を解放できるので、中ロクロ４にはスプリング９の附勢力は働かなくなり、例えば金属パイプにより形成されている中棒１、金属または合成樹脂により形成される中ロクロ４、下ロクロ７、石突き１０、上ロクロ２、親骨３、受骨５毎、また、例えば合成樹脂、木材により形成されるほか、石膏により芯材部を形成するとともに、その芯材部の表面を合成樹脂ビニール、人造皮革より覆うことにより形成される把手部６毎に、リサイクルの観点から傘の構成部品の分解が迅速かつ確実に行え、各資材別に回収を行う分別収集作業が効率良く行える。
【００４８】
このように、傘を開傘時の状態から反転（いわゆるお猪口）状態にし、傘布１８を傘骨から取り去り、修繕を済ませた場合に、傘を組付けるのには、つゆ先１９に親骨３の先端を嵌入するとともに、図１乃至図８に示す実施形態１では、傘布１８の中央に設けた挿通孔１８ａ内に石突き１０を挿入し、次いで外形が略円錐台形状の陣笠１０ａの内周に設けられた雌ねじ部Ｎ２を上ロクロ２の上面に突出する円筒状の基端部２Ａの外周に設けた雄ねじ部Ｎ１に螺合するか、または図９および図１０に示す実施形態２では、陣笠１０ａを下端に設けた石突き１０の雌ねじ部Ｎ２内に中棒１の先端に設ける上ロクロ２の上端の基端部２Ａの外周に設けられた雄ねじ部Ｎ１を螺合することにより、上ロクロ２に取り付けられる陣笠１０ａと上ロクロ２との間に、傘布１８の前記挿通孔１８ａの外周縁を挟持することにより親骨３に傘布１８を取付ける。その後、略円筒状のストッパ材１６を中棒１の上方部においてスプリング材Ｓの下方部に外挿し、それから、下ロクロ７の上方本体部７Ａに固定手段１２を介して下部部材７Ｂを取付けて下ロクロ７の組付けを行い、中ロクロ４と下ロクロ７とに、スプリング９の上端９ａおよび下端９ｂを当接させて前記中ロクロ４および前記下ロクロ７間に再びスプリング９を介在させれば、親骨３はお猪口状態から通常の開傘時の状態に復元され、常時前記中棒１の先端に設ける石突き１０の方向へ前記中ロクロ４および前記下ロクロ７をスプリング９によりばね附勢するとともに、傘骨と傘布１８とにスプリング９の張力を作用でき、傘の組付けを行える。
【産業上の利用可能性】
【００４９】
本発明は、中ロクロと下ロクロとの間に介在するスプリングの親骨、受骨等の傘骨に作用する開傘時における附勢力を解くことにより、ジャンプ傘の修繕作業の能率化と、安全化とをはかることができる用途・機能に適する。
【符号の説明】
【００５０】
１      中棒
２      上ロクロ
３      親骨
４      中ロクロ
５      受骨
６      把手部
７      下ロクロ
７Ａ    上方本体部
７Ｂ    下部部材
９      スプリング
１０    石突き
１４    ロック機構部
１１    底板部
１２    固定手段
１１ａ  雄ねじ
１１ｂ  雌ねじ
１３    外鍔部
１４    ロック機構部
１５    係合孔
１６    ストッパ材
Ｎ１    雄ねじ部
Ｎ２    雌ねじ部
【図１】
2011092557.tif 000003
【図２】
2011092557.tif 000004
【図３】
2011092557.tif 000005
【図４】
2011092557.tif 000006
【図５】
2011092557.tif 000007
【図６】
2011092557.tif 000008
【図７】
2011092557.tif 000009
【図８】
2011092557.tif 000010
【図９】
2011092557.tif 000011
【図１０】
2011092557.tif 000012